(57)【要約】      （修正有）【課題】折り畳んだ状態から使用可能な状態への変形が容易であり、複数の収納部を有する小物入れを提供する。【解決手段】２枚の可撓性を有する概正方形状シートを重ね合わせ、いずれか一方のシートを対角交点を中心として４５度回転させる。小物入れの内側となるシートの概直角二等辺三角形状の角部をそれぞれ山折りして外側のシートの上に折り重ねる。この折り重なり部分１２Ａ，１２Ｂ，１２Ｃ，１２Ｄをそれぞれ線対称軸（点Ａと点ａ３を端点とする線分など）で折り曲げて、折り曲げ箇所の全体或は一部を糊付けなどにより固定させる。このように形成された小物入れは、内部に複数の収納部を有する。【選択図】図３
0003190319.tif 000002
【実用新案登録請求の範囲】
【請求項１】
可撓性を有する概正方形状の内側シートと外側シートを重ね合わせ、
いずれか一方のシートを対角交点を中心として４５度回転させ、
前記内側シートの４つの角部を山折りして前記外側シートの上に折り重ね、
これらの折り重なり部分の各々を折り曲げて、開かないように折り曲げ箇所の全体或は一部を固定させることにより、
複数の収納部を形成したことを特徴とする小物入れ。
【請求項２】
前記内側シートと前記外側シートの素材として紙、布、不織布、ゴム、革、金属や樹脂のメッシュが含まれることを特徴とする請求項１に記載の小物入れ。
【請求項３】
手提げ用の取っ手あるいは手提げ紐を付加したことを特徴とする請求項１または２のいずれかに記載の小物入れ。
【考案の詳細な説明】
【技術分野】
【０００１】
折り畳んだ状態から使用可能な状態への変形が容易であり、複数の収納部を有する小物入れに関する。
【背景技術】
【０００２】
身近にある小物の文具、装身具などは、そのまま机の上に置いたり、引き出しにしまったりすると他の物品に紛れたり、どこへ置いたかわからなくなったりしがちである。そのため、このような小物を収容する小物入れは生活必需品といってもよい。
小物入れは、内側に物を収納する空間を備えているが、この空間は複数の部分に区切られていると使いやすい。例えば、複数のペンダントを同一の空間に収容すると、チェーン同士がからみついて取り出しにくくなったりするからである。
小物入れは自宅や仕事場でのみ使うものではない。例えば、料理教室に通う人の場合、実習の際に指輪やブレスレットを外すのが通常であるが、意外と置き場所に困るものである。そのため、小物入れを携帯し、これに外した指輪などを入れておけるならば便利である。
【０００３】
小物入れは身近な品であるため、様々な商品が市販されている。また、特許電子図書館で「小物入れ」をキーワードとして検索すると大量にヒットする。これらのヒットした先行特許・実用新案登録出願の中から、箱・筒・トレイなどの中に小物を入れるタイプであり且つ携帯に便利な小物入れを更に限定すると特許文献１・２などがあった。
特許文献１には、使用時以外は小型に変形し、かつ簡単に復元しうる「小物入れを折り畳む方法」が開示されている。
特許文献２には、軽量で、折り畳み可能で、ソフト感覚の「折りたたみ式小物入れ及びその製造方法」が開示されている。
【先行技術文献】
【特許文献】
【０００４】
【特許文献１】特開２００１−３３３８１２号公報
【特許文献２】特開平７−２９８９１８号公報
【考案の概要】
【考案が解決しようとする課題】
【０００５】
特許文献１に記載の小物入れは、不使用時には、使用時の１／１０以下の厚みに折り畳めるので、店舗で販売するときに場所をとらず、バッグに入れて持ち歩くときにかさばらないという利点がある。しかし、箱状収納部の内部には仕切りが一つもないので、細々とした雑貨や装身具を複数入れたりすると、取り出す時に苦労する。
その点、特許文献２に記載の小物入れは、折り畳みできるので携帯に便利なだけでなく、内部仕切りによって複数の収納部を有するという利点もある。しかしながら、複数の収納部を形成するために、複数個所を縫い付ける必要がある。また折り畳んだ状態（図６）から広げた状態（図１）にして形を整えたり、逆に広げた状態から折り畳んだ状態にしたりするのもワンタッチではできない。
【０００６】
本考案は、携帯に適し、且つ内部が複数の空間に分割されている小物入れであって、作成が容易であり、畳んだり広げたりがきわめて簡単にできる小物入れの提供を目的とする。
【課題を解決するための手段】
【０００７】
上記の目的を達成するために、本考案の小物入れは、
可撓性を有する概正方形状の内側シート（小物入れの収納部の内壁を構成するシート）と外側シート（小物入れの外側を構成するシート）を重ね合わせ、
いずれか一方のシートを対角交点を中心として４５度回転させ、
前記内側シートの４つの角部を山折りして前記外側シートの上に折り重ね、
これらの折り重なり部分（下記の実施の形態の「稜部形成部」が相当）の各々を折り曲げて、開かないように折り曲げ箇所の全体或は一部を固定させることにより、
複数の収納部を形成したことを特徴とする。
このように、正方形状のシート２枚を用意しさえすればよいので、型紙作りや裁断を不要とし、容易に作ることができ、費用を押さえることもできる。
【０００８】
本考案の小物入れの使用時には、折り曲げた箇所が小物入れの底面から立ち上がる稜部となる。そのため、折り曲げた内側の面全体に接着剤を貼付したり、適当な１箇所以上をホックなどで留めたりすることによって、折り曲げた箇所が平面状に開くことがないように固定する。
【０００９】
内側シートと外側シートの素材として薄く且つ折り曲げやすいものであれば、すべて利用可能である。例えば、紙、布、不織布、ゴム、革、金属や樹脂のメッシュなどを利用できる。
【００１０】
手提げ用の取っ手あるいは手提げ紐を付加してもよい。
これにより、机などに置いて使うだけでなく、バッグのような使い方もできる。
【考案の効果】
【００１１】
本考案の小物入れは、安価かつ簡単に製造できるという利点に加え、使用者にとっての利便性即ち、使わないときは折り畳んでおき、使用時にはワンタッチで広げることができる、内部が複数の収納部に分かれているので小物を分別して収納できる、という利点を備えている。
【図面の簡単な説明】
【００１２】
【図１】実施の形態に係る小物入れを作成する手順を説明する図である。
【図２】実施の形態に係る小物入れを作成する手順を説明する図である。
【図３】実施の形態に係る小物入れを折り畳む手順を説明する図である。
【図４】実施の形態に係る小物入れの使用時の状態を示す斜視図である。
【図５】実施の形態に係る小物入れの使用時の状態を示す平面図である。
【図６】他の実施の形態に係る小物入れを説明する平面図と斜視図である。
【図７】他の実施の形態に係る小物入れの使用時の状態を示す平面図である。
【図８】他の実施の形態に係る小物入れの使用時の状態を示す斜視図である。
【図９】本考案を変形し、コーヒードリップへの適用を説明する図である。
【考案を実施するための形態】
【００１３】
本考案の一実施の形態の小物入れ１について、図面を参照しながら説明する。
小物入れ１は、５つの収納部Ｓ１，Ｓ２，Ｓ３，Ｓ４，Ｓ５を有している。すなわち、図４および図５に示すように、中央部に設けられた収納部Ｓ１と、これを取り囲む収納部Ｓ２，Ｓ３，Ｓ４，Ｓ５とである。なお、図４では、収納部Ｓ４、Ｓ５は内側にあるので表示されない。
【００１４】
以下小物入れ１について詳しく説明する。
まず小物入れ１の作成手順を図１、図２を参照しながら説明する。
図１に示すように大きさが同一の２枚の正方形状シート１０，２０を用意する。シートの素材として紙を用いる場合について説明する。
シート１０は、収納部の内壁を構成するので「内側シート」と呼び、シート２０は小物入れ１の外側を構成するので「外側シート」と呼ぶ。図１では内側シート１０を上側、外側シート２０を下側に置いた状態を示している。図１（ａ）に示すように、重ね合わせたシートの一方を対角交点（以下、「中心点」）を中心として４５度回転させる。内側シート１０の４つの頂点を時計回りに、頂点Ａ，Ｂ，Ｃ，Ｄとし、外側シート２０の４つの頂点を時計回りに、頂点Ｐ，Ｑ，Ｒ，Ｓとする。
【００１５】
内側シート１０は外側シート２０の上にずらして載せているので、各頂点（Ａ，Ｂ，Ｃ，Ｄ）を含む三角片部１１Ａ，１１Ｂ，１１Ｃ，１１Ｄが外側シート２０の外部にはみ出している。
三角片部１１Ａは、頂点Ａと点ａ１、点ａ２の３点を頂点とする。ここで、点ａ１、点ａ２は外側シート２０の頂点Ｐと頂点Ｑを端点とする１辺と交差する内側シート１０の辺上の点である。三角片部１１Ａを山折りし、外側シート２０を挟むように折り重ねる。三角片部１１Ｂ，１１Ｃ，１１Ｄも同様に外側シート２０の上に折り重ねた状態が図１（ｂ）である。この図で内側シート１０からはみ出している外側シート２０の三角片部を符号２１Ｐ，２１Ｑ，２１Ｒ，２１Ｓで表している。
三角片部２１Ｐの底辺は内側シート１０の辺の一部（点ａ１と点ｄ２を端点とする線分）と一致する。この部分が小物入れ１を広げた時の収納部Ｓ２の開口部となる。三角片部２１Ｑ，２１Ｒ，２１Ｓの底辺の箇所においても同様に、収納部Ｓ３，Ｓ４，Ｓ５の開口部が形成される。
また、三角片部２１Ｐ，２１Ｑ，２１Ｒ，２１Ｓは、小物入れ１の使用時には収納部を広げたり覆ったりするフラップになる（図４、図５）。
【００１６】
使用に際し、折り畳んだ状態から広げた状態に変形しやすくするために、底面となる部分に折り目をつけておく。この手順を図２に従い説明する。
図１（ｂ）に示すように形成されたものを、外側シートの頂点Ｒを含み、三角片部１１Ｂと三角片部１１Ｃのそれぞれの等辺を含む線分（点ｂ１と点ｃ２を端点とする）を底辺とする三角領域を谷折りし（図２（ａ））、双方向矢印に対応する箇所にのみ折り目をつけて開く。この折り目をつけた部分が、小物入れ１の使用時に収納部Ｓ１の底面の一辺となる。同様に、外側シートの他の頂点Ｐ，Ｑ，Ｓを含む三角領域についても谷折りし、必要な折り目（図２（ｂ）において一点鎖線で表す）を付ける。
【００１７】
次に図１（ｂ）に示す状態を、図２（ｂ）に示すように時計周りに４５度回転する。ここで４５度回転させた状態を図示するのは、単に説明を分かりやすくするためである。
三角片部１１Ａの底辺の中点をａ３する。同様に、三角片部１１Ｂ，１１Ｃ，１１Ｄのそれぞれの底辺の中点をｂ３、ｃ３、ｄ３とする。図２（ｂ）に示すように形成されたものを、図２（ｃ）のように、三角片部１１Ａと１１Ｃの底辺の中点ａ３とｃ３を端点とする線分で谷折りし、双方向矢印に対応する箇所にのみ折り目をつけて開く。同様に三角片部１１Ｂと１１Ｄの底辺の中点ｂ３とｄ３を端点とする線分も谷折りし、一部分にのみ折り目をつける。以上の作業で付した折り目は図２（ｄ）の一点鎖線で表してある。
【００１８】
なお、図２（ｄ）において斜線を付した部分は、稜部形成部である。この稜部形成部について説明する。図２（ｄ）の点Ａ，点ａ１、点ａ２を頂点とする三角形は内側シート１０の三角片部１１Ａと外側シート２０とが折り重なった部分である。この部分を稜部形成部１２Ａと呼ぶことにする。点Ａ，点ａ１、点ａ２を頂点とする稜部形成部１２Ａを点Ａから底辺の中点ａ３に下ろした垂線で折り曲げると点Ａ，点ａ１、点ａ３を頂点とする三角形と点Ａ，点ａ２、点ａ３を頂点とする三角形とが重なる。重なった三角形同士を内側の重なり面で糊付けすると内側シート１０と外側シート２０とが頂点Ａの近傍で固定される。同様に、稜部形成部１２Ｂ，１２Ｃ，１２Ｄについても糊付けすると、内側シート１０と外側シート２０とが、等間隔に設けられた４箇所において固定される。小物入れ１は使用時に箱状の容器となるが、これらの４箇所は、箱の底面から立ち上がる稜線と一致する。
【００１９】
次に不使用時の形態について説明する。
図３（ａ）に示すように折り畳み線（Ｌ１，Ｌ２，Ｌ３）を３本設ける。折り畳み線Ｌ１は、外側シート２０の１組の向かい合う頂点Ｑと頂点Ｓを端点とする対角線である。折り畳み線Ｌ２は対向する稜部形成部１２Ｂ、１２Ｄのそれぞれの底辺の中点（ｂ３、ｄ３）同士を繋いだ線である。折り畳み線Ｌ３は対向する稜部形成部１２Ａ、１２Ｃのそれぞれの底辺の中点（ａ３、ｃ３）同士を繋いだ線である。
折り畳み線Ｌ２とＬ３とをそれぞれ谷折りして折り目をつけて一旦開く。次に折り畳み線Ｌ１をやや開いた山折りにし、Ｌ１の端点（Ｑ，Ｓ）同士を一致させるように引き寄せる。折り畳み線Ｌ２、Ｌ３には既に谷折りの折り目をつけているので、Ｌ１の端点Ｑ，Ｓ同士を引き寄せるに伴い、自ずと外側シート２０の他の向かい合う頂点（Ｐ，Ｒ）も引き寄せられる。これにより、図３（ｂ）に示すように、ほぼ平面状に折り畳まれる。
【００２０】
各稜部形成部を折り曲げ、糊付けすると両シート１０，２０が固定し、これで小物入れ１の完成である。このように小物入れ１は、２枚のシートと糊を用意すれば簡単に作ることができ、縫製のような面倒な作業は必要ない。しかも２枚の正方形状のシートがあればよいので、型紙作りやシートの裁断作業も必要ない。したがって、裁縫や手芸が苦手な人でも作ることができる。
図３（ｃ）に示す折り畳んだ状態の斜視図からわかるように、折り畳んだハンカチーフと同じような大きさと形状をしている。これならば、バッグに入れて持ち歩く際にかさばらず、雑貨店の店頭などで陳列しておく際に場所をとらない。
【００２１】
次に、使用時について説明する。
小物入れ１の不使用時の状態（図３の（ｂ）、（ｃ））で、手指で頂点Ｒ，Ｐの近傍をつまみ、図３（ｃ）の矢印Ｒ１とＲ２で示す方向にひっぱり、底面部分の形を整えると、図４に示すような状態に変形する。これが収納可能な状態つまり小物入れ１の使用時の形状である。この実施の形態では各稜部形成部（１２Ａ、１２Ｂ，１２Ｃ，１２Ｄ）はそれぞれの内側の面全体に糊付けしているので、収納部の深さは、三角片部（１１Ａ、１１Ｂ，１１Ｃ，１１Ｄ）の等辺の長さと同じである。
広げた状態の平面図を図５に示す。小物入れ１は、折り畳んだ状態から広げると、開口部を有する箱状の容器となる。容器は内側シート１０を内部仕切りとして、５つの収納部Ｓ１，Ｓ２，Ｓ３，Ｓ４，Ｓ５に分割される（図５では、各収納部の開口に斜線を付している）。収納部Ｓ１には、やや大きめの小物を、他の収納部Ｓ２，Ｓ３，Ｓ４，Ｓ５には小さめの小物を入れると整理しやすい。
小物入れ１を使用しないときは、図３（ｃ）のように折り畳んで、引き出しの中にしまったり、バッグに入れておいたりすると良い。
【００２２】
用途や使用する場所に合わせて、外側と内側の配色を考えて、シートの色を選択するとよい。
この実施の形態では、シートの素材に紙を用いるが、外側シート２０は厚紙、内側シート１０は薄くて強い和紙といったように異なる種類の紙を用いることもできる。
シートの形状は基本的には正方形であるが、角をアール状にしたり、周縁部に縁取りをしたりすると意匠的な効果が得られる。
【００２３】
上記の実施の形態は本考案の小物入れの例示にすぎず、下記のように、さまざまな変形や工夫を加えることができる。
【００２４】
上記の実施の形態では、４隅の折り曲げ箇所（稜部形成部）の内側の面を糊付けして内側シート１０と外側シート２０とを固定させていた。
ここで、固定させる方法は、糊付けに限らず、適当な１箇所で留めてもよい。例えば、図６（ａ）のように各稜部形成部の黒丸で表した１箇所でのみ固定させた場合は、広げると図６（ｂ）のように開口部が広く、収納部が浅いトレイ状になる。図４と図６（ｂ）とを比較するとわかるように固定させる箇所によって使用時の外観も収納部の形状・深さも異なる。留め方は、縫い付けてもよく、ホックやハトメを用いてもよく、限定しない。
なお、留める箇所に、シートの色にあわせた配色のガラス玉やビーズなどをあしらっても良い。また、留める箇所は１箇所に限らず２箇所以上でもよい。
【００２５】
上記の実施の形態は紙を用いるものであったが、シートの素材は、和紙をはじめとする紙類に限らない。例えば、織布、フェルト、不織布、バックスキンのような革など、薄いシート状にすることができ、且つ折り曲げが容易にできる素材であれば何でもよい。布や革は簡単に畳んだり広げたりができるので、図２を参照しながら説明したような折り目をつける手順は省略できる。
また、２枚のシートの素材を同一にしなくてもよい。例えば、外側は布、内側は紙など異なる素材を組み合わせてもよい。そのほか、樹脂や金属製のメッシュを正方形状にして用いてもよい。例えば、内側は布で、外側をメッシュとすると、使用時は小振りのバスケットのような外観を呈し、不使用時は折り畳み可能な小物入れとなる。
作成手順はまったく同じでも、素材によって趣が異なる小物入れとなる。例えば、外側シート２０の三角片部２１Ｐ，２１Ｑ，２１Ｒ，２１Ｓは、金属製のメッシュなどであれば、常に立ち上がっているが、縮緬のような布であれば自然に収納部側に倒れる、といったように素材の持ち味を楽しめる。
素材に透明な樹脂を用いると、何が入っているかが一目でわかる。また、例えば内側シートは有色透明、外側シートは無色透明な樹脂を用いたりするとインテリア用品にも適する（例：収納部Ｓ１に小さな貝殻を入れ、内側シートに淡い水色の透明な樹脂を用いる）。
【００２６】
上記の実施の形態では、２枚の概ね正方形のシートを重ねるが、同じ大きさでなくてもよい。例えば、内側シートを外側シートよりも小さくすると、開口部が広く収容部が浅い小物入れになる。
【００２７】
上記の実施の形態では、小物入れの内部が５つの収納部（Ｓ１，Ｓ２，Ｓ３，Ｓ４，Ｓ５）に分かれていた。しかし、図７に示すように、内側シート１０によって形成される内側仕切り（１３Ａ，１３Ｂ，１３Ｃ，１３Ｄ）の各々の中央部付近を収納空間の中心に寄せて、ほぼ同じ大きさの４つの収納部Ｓ２，Ｓ３，Ｓ４，Ｓ５を設けてもよい（図７では、各収納部の開口に斜線を付している）。
【００２８】
上記の実施の形態では、小物入れとして机などに置いて用いることを想定していた。しかし、厚みと強さのある素材からなる大きめのシートを用い、手提げできるような持ち手をつけることで、バッグとすることもできる。内側が複数の収納部で区分けされたバッグとして幼児と外出するときなどに便利である。畳むことができ、かさばらないので、バッグの中に予備用バッグとして携行してもよい。
また、図８に示すように外側シートの各頂点付近に紐通し用の孔を開け、紐を通すと上部がまとまり、手提げ袋状になる。
【００２９】
本考案の小物入れは、机などの上に置き、細々とした文具や雑貨を入れたり、装身具を入れたりするのに重宝する。しかし、それだけでなく、商品のパッケージとして利用することもできる。例えば、ケースに入った指輪を、ケースごと本考案の小物入れに入れてもよい。また、ビニール袋などに入ったクッキーやキャンディなどのお菓子を入れるパッケージとしても適し、お菓子を取り出した後、お洒落な小物入れとして使うこともできる。
パッケージとして利用する場合は、次のような態様もある。シートにこわさがある紙を用い、外側シートの三角片部に折り目をつけて収納部側に倒し、収納されている物品が見えそうで見えないパッケージとする。これを透明な袋に入れて贈ると、贈られた相手は「何が入っているのか？」と楽しい気分が倍加する。
【００３０】
本考案は、２枚の正方形状シートを４５度ずらして重ねた点が大きな特徴である。
この特徴を活かして、小物入れ以外の用途にも利用できる。ここでは、２つの利用例を説明する。
第１の例は、コーヒードリップへの利用である。
図９に示すように、外側シート３０の対角交点を中心とした適当な大きさの半径の円を切りとる。
作り方の手順や広げ方は、上記の実施の形態とまったく同様である（図１〜図３を参照）。底面に当たる箇所をコーヒーカップの上にのせ、中央の収納部に挽いたコーヒーを入れ、お湯を注げばよい。図９（ｂ）において斜線を付した箇所は、中央部が円形に切り取られた外側シート３０を表す。
このような使い方をする場合は、内側シート１０にはコーヒーのフィルターと同一の素材を用い、外側シート３０には厚手の紙を用いるとよい。
【００３１】
第２の例は、食材への利用である。
例えば、パイシートや餃子の皮なども薄く柔軟なシートという点で変わりない。
２枚の正方形状のパイシートの間にカスタードクリームをぬり、箱状にしてから中（小物入れの収納部に相当）に煮た果物を並べ、立ち上がっている三角部分（小物入れの外側シートの三角片部に相当）を中に織り込むと四角いパイを焼くことができる。
【産業上の利用可能性】
【００３２】
携行でき、小物の整理がしやすいことから実用性が高く、小物入れとしては勿論のこと包装容器や手提げとしても需要が期待できる。
【符号の説明】
【００３３】
１：小物入れ
Ｓ１，Ｓ２，Ｓ３，Ｓ４，Ｓ５：収納部
１０：内側シート
１１Ａ，１１Ｂ，１１Ｃ，１１Ｄ：三角片部
１２Ａ，１２Ｂ，１２Ｃ，１２Ｄ：稜部形成部
２０：外側シート
２１Ｐ，２１Ｑ，２１Ｒ，２１Ｓ：三角片部（使用時のフラップ）
【図１】
0003190319.tif 000003
【図２】
0003190319.tif 000004
【図３】
0003190319.tif 000005
【図４】
0003190319.tif 000006
【図５】
0003190319.tif 000007
【図６】
0003190319.tif 000008
【図７】
0003190319.tif 000009
【図８】
0003190319.tif 000010
【図９】
0003190319.tif 000011
【手続補正書】
【提出日】平成26年1月29日(2014.1.29)
【手続補正１】
【補正対象書類名】実用新案登録請求の範囲
【補正対象項目名】請求項１
【補正方法】変更
【補正の内容】
【請求項１】
可撓性を有する概正方形状の内側シートと外側シートを重ね合わせ、
いずれか一方のシートを対角交点を中心として４５度回転させ、
前記外側シートとは重なっていない前記内側シートの直角二等辺三角形状の４つの領域をそれぞれ山折りして前記外側シートの上に折り重ね、
これらの折り重ねられた直角二等辺三角形状の４領域の各々について、その線対称軸で谷折りして三角形状の２つ折り部分を形成し、さらにこの２つ折り部分が開いて元に戻るのを防ぐ為にその全体或は一部を固定させることにより、
複数の収納部を形成したことを特徴とする小物入れ。
【手続補正２】
【補正対象書類名】明細書
【補正対象項目名】０００７
【補正方法】変更
【補正の内容】
【０００７】
上記の目的を達成するために、本考案の小物入れは、
可撓性を有する概正方形状の内側シート（小物入れの収納部の内壁を構成するシート）と外側シート（小物入れの外側を構成するシート）を重ね合わせ、
いずれか一方のシートを対角交点を中心として４５度回転させ、
前記外側シートとは重なっていない前記内側シートの直角二等辺三角形状の４つの領域をそれぞれ山折りして前記外側シートの上に折り重ね、
これらの折り重ねられた直角二等辺三角形状の４領域（下記の実施の形態の「稜部形成部」が相当）の各々について、その線対称軸で谷折りして三角形状の２つ折り部分を形成し、さらにこの２つ折り部分が開いて元に戻る（つまり、平面状に開く）のを防ぐ為にその全体或は一部を固定させることにより、
複数の収納部を形成したことを特徴とする。
このように、正方形状のシート２枚を用意しさえすればよいので、型紙作りや裁断を不要とし、容易に作ることができ、費用を押さえることもできる。
【手続補正３】
【補正対象書類名】明細書
【補正対象項目名】０００８
【補正方法】変更
【補正の内容】
【０００８】
本考案の小物入れの使用時には、２つ折りの三角形状に折り曲げた箇所が小物入れの底面から立ち上がる稜部となる。そのため、折り曲げた内側の面全体に接着剤を貼付したり、適当な１箇所以上をホックなどで留めたりすることによって、折り曲げた箇所が平面状に開くことがないように固定する。